(57)【要約】【課題】  本発明では、椅子に着座した使用者の脊椎のＳ字カーブを適切な形状にし腰への負担を軽減すると共に、着座状態において前脛骨筋の自然な伸縮運動が可能なフットレスト装置を提供することを目的とする。【解決手段】  開示するフットレスト装置は、左足を置くための、爪先側が高くなっている第１の足台と、右足を置くための、爪先側が高くなっている第２の足台と、前記第１の足台と前記第２の足台とを連結するベース部材と、を備えるフットレスト装置であって、前記第１の足台と第２の足台とが、前記ベース部材によって、当該フットレスト装置使用者の爪先側が開くように、ハの字型に連結され、前記第１の足台及び前記第２の足台それぞれが、独立して、前記ハの字方向に回動自在であることを特徴とする。【選択図】図１
2012176742.tif 000002
【特許請求の範囲】
【請求項１】
左足を置くための、爪先側が高くなっている第１の足台と、
右足を置くための、爪先側が高くなっている第２の足台と、
前記第１の足台と前記第２の足台とを連結するベース部材と、を備えるフットレスト装置であって、
前記第１の足台と第２の足台とが、前記ベース部材によって、当該フットレスト装置使用者の爪先側が開くように、ハの字型に連結され、
前記第１の足台及び前記第２の足台それぞれが、独立して、前記ハの字方向に回動自在であることを特徴とするフットレスト装置。
【請求項２】
前記第１の足台及び前記第２の足台それぞれが、該各足台の前後方向中心付近を軸にして、回動自在であることを特徴とする請求項１に記載のフットレスト装置。
【請求項３】
前記第１の足台及び前記第２の足台それぞれが、該各足台の前後方向中心部より爪先側にある位置を軸にして、回動自在であることを特徴とする請求項１に記載のフットレスト装置。
【請求項４】
前記第１の足台及び前記第２の足台それぞれが、該各足台の手前側端部付近を軸にして、回動自在であることを特徴とする請求項１に記載のフットレスト装置。
【請求項５】
前記第１の足台及び前記第２の足台それぞれが、該第１の足台又は該第２の足台の回動する方向に対向する方向の負荷を付与する負荷付与機構を備えることを特徴とする請求項１乃至４の何れか一に記載のフットレスト装置。
【請求項６】
連結された前記第１の足台と第２の足台との間の角度の狭い方が、４５度程度であることを特徴とする請求項１乃至５の何れか一に記載のフットレスト装置。
【請求項７】
前記第１の足台及び前記第２の足台の高さを調節する高さ調節手段を備えることを特徴とする請求項１乃至６の何れか一に記載のフットレスト装置。
【請求項８】
前記ベース部材上であって、連結された前記第１の足台と第２の足台との間に、前記使用者が脱いだ靴を置くことができる程度の空間を備えていることを特徴とする請求項１乃至７の何れか一に記載のフットレスト装置。
【発明の詳細な説明】
【技術分野】
【０００１】
本発明は、椅子に座っている間の足置きであるフットレスト装置の技術に関する。
【背景技術】
【０００２】
椅子に座る際の荷重に関し、椅子の座面だけで受け止める猫背姿勢と、椅子の座面と背もたれの両方で受け止める後傾姿勢とでは、後者の方が腰への負担が軽くなると言われている。
【０００３】
一方、人は椅子に深く座ることが苦手であり、腰と椅子の背もたれとの間に隙間の出来ている人が非常に多いのが現状である。また、椅子の浅掛け（つまり、腰と椅子の背もたれの間に隙間の出来ている状態）は、日本人の特徴でもあるが、最近では、着座者に後傾姿勢を取らせるために、人を椅子に深く座らせることを意図した製品も見受けられる。
ところで、長時間、椅子に着座した場合の脚部の負担を軽減するための技術として、例えば、特許文献１、特許文献２などに記載の技術が提案されている。
【先行技術文献】
【特許文献】
【０００４】
【特許文献１】特開２００２−２２３８９２号公報
【特許文献２】特表２００３−５０９０９５号公報
【発明の概要】
【発明が解決しようとする課題】
【０００５】
しかしながら、上記技術においては、使用者が着座したときの脊椎の形状がどうなっているかということまでは考慮されておらず、着座状態における使用者の脊椎のＳ字カーブが適切な形状とならないことから、当該使用者の腰への負担が大きいという問題点が有る。
【０００６】
また、上記技術においては、使用者が着座し足を動かす際の前脛骨筋の伸縮状態までは考慮されておらず、前脛骨筋に適切な伸縮運動を行わせることができないという問題点が有る。
【０００７】
そこで、本発明では、上記問題点に鑑み、椅子に着座した使用者の脊椎のＳ字カーブを適切な形状とし腰への負担を軽減すると共に、着座状態において前脛骨筋の自然な伸縮運動が可能なフットレスト装置を提供することを目的とする。
【課題を解決するための手段】
【０００８】
開示するフットレスト装置の一形態は、左足を置くための、爪先側が高くなっている第１の足台と、右足を置くための、爪先側が高くなっている第２の足台と、前記第１の足台と前記第２の足台とを固定連結するベース部材と、を備えるフットレスト装置であって、前記第１の足台と第２の足台とが、前記ベース部材によって、当該フットレスト装置使用者の爪先側が開くように、ハの字型に連結され、前記第１の足台及び前記第２の足台それぞれが、独立して、前記使用者の踵・爪先方向（つまり、前記ハの字方向）に回動自在であることを特徴とする。
【発明の効果】
【０００９】
開示するフットレスト装置は、椅子に着座した使用者の脊椎のＳ字カーブを適切な形状とし腰への負担を軽減すると共に、着座状態において前脛骨筋に適切な伸縮運動を行わせることができる。
【図面の簡単な説明】
【００１０】
【図１】本実施の形態に係るフットレスト装置の斜視図である。
【図２】本実施の形態に係るフットレスト装置の正面図である。
【図３】本実施の形態に係るフットレスト装置の平面図である。
【図４】本実施の形態に係るフットレスト装置の構造を説明するための正面図である。
【図５】本実施の形態に係る足置き台の側面図である。
【図６】本実施の形態に係る足置き台上部の裏面図である。
【図７】本実施の形態に係る足置き台に高さ調節手段を付加した図である。
【図８】本実施の形態に係るフットレスト装置の平面図（変形例）である。
【発明を実施するための形態】
【００１１】
図面を参照しながら、本発明を実施するための形態について説明する。
（本実施の形態に係るフットレスト装置の構造）
【００１２】
図１乃至８を用いて、本実施の形態に係るフットレスト装置１の構造について説明する。図１は、フットレスト装置１の斜視図、図２は、フットレスト装置１の正面図、図３は、フットレスト装置１の平面図である。また、図４は、フットレスト装置１の構造を説明するための図である。
【００１３】
図１乃至４で示すように、フットレスト装置１は、左足を置くための第１の足置き台１０、右足を置くための第２の足置き台２０、第１の足置き台１０と第２の足置き台２０とを連結するベース部材３０を備える。このようにフットレスト装置１は、椅子に着座した使用者が左右の足を片足毎に置く、独立した足置き台１０、２０を備えている。
【００１４】
図５で示すように、第１の足置き台１０及び第２の足置き台２０は、それぞれ、足置き台上部１２、２２、足置き台下部１４、２４を備える。足置き台上部１２、２２は、椅子に着座した使用者が置く足と接する板状部材であり、足置き台下部１４、２４は、足置き台上部１２、２２を支持する土台となる部材である。
【００１５】
図５で示すように、足置き台上部１２、２２と足置き台下部１４、２４とは、中央部において、シャフト部材１６、２６によって連結される。そして、足置き台上部１２、２２は、シャフト部材１６、２６を軸にして、上下に回動可能（シーソー様運動が可能）となっている。なお、足置き台上部１２、２２と足置き台下部１４、２４とが、両者一方の端部で連結され、足置き台上部１２、２２の他方の端部が、当該連結部分を軸にして、上下運動可能となる形態であっても良い。
【００１６】
図６で示すように、足置き台上部１２、２２は、その裏面の端に鉄板などの重り１８、２８を付されており、足置き台上部１２、２２が重り１８、２８を付けた側に傾く（重り１８、２８を付けた側が低くなる）ようになっている。つまり、足置き台上部１２、２２は、重り１８、２８を付けた側に通常傾いているが、力を加えることによって、シャフト部材１６、２６を軸にして、上下に回動可能（シーソー様運動が可能）となっている。
【００１７】
図２、３で示すように、ベース部材３０は、足置き台１０と足置き台２０とを、これら２つの足置き台がハの字型となるように連結する。さらに、ベース部材３０は、足置き台上部１２、２２が低くなっている方をハの字の幅が狭い方に、足置き台上部１２、２２が高くなっている方をハの字の幅が広い方になるように、足置き台１０と足置き台２０とを連結する。ここで、ハの字型に連結される足置き台１０、２０の角度は、適宜決めることができるが、４５°前後の角度が好適である。
【００１８】
また、図２、３で示すように、足置き台１０と足置き台２０との間に、フットレスト装置１の使用者が脱いだ靴を置くことができる程度のスペース４０を確保する形態としても良い。こうすることで、フットレスト装置１は、当該装置を机の下において使用する場合など、限られたスペースを有効活用させることができる。
【００１９】
なお、図７で示すように、足置き台下部１４、２４と床面との間に高さ調節手段５０を挿入することにより、フットレスト装置１は、使用者の体格に応じ、足置き台上部１２、２２の高さを調節できる。
【００２０】
一方、図８で示すように、足置き台上部１２、２２と足置き台下部１４、２４とが、中央部よりやや爪先側に寄った位置において、シャフト部材１６、２６によって連結される形態としても良い。このようにした場合であっても、足置き台上部１２、２２は、シャフト部材１６、２６を軸にして、上下に回動可能（シーソー様運動が可能）となっている。このようにすることで、足置き台上部１２、２２は、手前側（踵側）に傾いた姿勢が基本的な姿勢となる。そのため、使用者が足置き台上部１２、２２を奥側（爪先側）に傾かせようという意思を持って足に力を入れない限り、足置き台上部１２、２２が動かず、フットレスト装置１の基本姿勢の安定感が向上する。
【００２１】
他方、第１の足台１０、第２の足台２０は、足置き台上部１２、２２に対し、これらの回動する方向（動く方向）と対向する方向の負荷を付与する負荷付与機構６０を備える形態であっても良い。負荷付与機構６０は、油圧駆動システムであっても良く、ばねなどの弾性体を利用した機構であっても良い。このような機構を有することによって、足置き台上部１２、２２を動かすためには、所定の大きさ以上の力を加えなければならないため、フットレスト装置１の使用者のエクササイズ効果を向上させることができる。
（本実施の形態に係るフットレスト装置の使用方法）
【００２２】
図１などを用いて、本実施の形態に係るフットレスト装置１の使用方法について説明する。フットレスト装置１は、机の下などに設置し、椅子に着座した者（使用者）が足を置くための装置である。フットレスト装置１は、足置き台１０と足置き台２０とがハの字型に連結され、当該ハの字の幅が狭い方を使用者側に向けて設置する。
【００２３】
使用者は、椅子に着座した後、片足ずつ、自らの足を足置き台上部１２、２２の上に置く。このとき、靴を脱いだ状態で足を足置き台上部１２、２２の上に乗せるのであれば、脱いだ靴をスペース４０に置くこともできる。ハの字型に設置される足置き台上部１２、２２に足を乗せることにより、使用者は両足（爪先側）を開いて椅子に着座することとなり、使用者の脊椎のＳ字カーブは自然、かつ、適切な形状となる。また、足置き台上部１２、２２が手前側に傾いた状態で、使用者が足を置くようになることから、フットレスト装置１は、使用者に自然に後傾姿勢を取らせることになり、使用者の腰への負担を軽減させることができる。
【００２４】
さらに、図８で示すように、足置き台上部１２、２２が、中央部よりやや爪先側に寄ったシャフト部材１６、２６を軸にして、上下に回動自在となっている場合、フットレスト装置１は、足置き台上部１２、２２が手前側に傾いた状態で安定する。そのため、フットレスト装置１は、使用者に安定的に後傾姿勢を取らせることになり、使用者の腰への負担を軽減させることができる。
【００２５】
また、使用者は、椅子に着座し、足置き台上部１２、２２上に足を置いた状態で、足置き台上部１２、２２に、シャフト部材１６、２６を軸としたシーソー様運動をさせることができる。このとき、足置き台上部１２、２２は、ハの字方向にシーソー様運動をするため、使用者は両足を開いた状態で爪先・踵方向に足を動かすこととなる。こうすることにより、フットレスト装置１は、使用者の着座状態において、前脛骨筋に適切な伸縮運動を行わせることができる。また、フットレスト装置１は、前脛骨筋の適切な伸縮運動により、足のむくみも軽減させることができる。さらに、フットレスト装置１においては、使用者が左右の足首を独立して動かすことができるため、左右の足首を同時に動かす場合に生じる腰への負担も軽減させることができる。
【００２６】
一方、第１の足台１０、第２の足台２０が負荷付与機構６０を備える場合、使用者は、足置き台上部１２、２２を動かすために、ある程度の大きさの力を足で加えなければならない。そのため、フットレスト装置１は、上記効果に加え、使用者に対しエクササイズ効果を与えることができる。
【００２７】
また、使用者の身長が低い場合、足置き台下部１４、２４の下に高さ調節手段５０（図７を参照）を挿入し、足置き台上部１２、２２の高さを高くすることにより、使用者の踵が足置き台上部１２、２２に届くようになり、大腿部裏側の血流を悪くするという事態を防ぐことができる。
【００２８】
以上、本発明の実施の形態について詳述したが、本発明は係る特定の実施の形態に限定されるものではなく、特許請求の範囲に記載された本発明の要旨の範囲において、種々の変形・変更が可能である。
【符号の説明】
【００２９】
１    フットレスト装置
１０  第１の足置き台
１２  足置き台上部
１４  足置き台下部
１６  シャフト部材
１８  重り
２０  第２の足置き台
２２  足置き台上部
２４  足置き台下部
２６  シャフト部材
２８  重り
３０  ベース部材
４０  靴置きスペース
５０  高さ調節手段
６０  負荷付与機構
【図１】
2012176742.tif 000003
【図２】
2012176742.tif 000004
【図３】
2012176742.tif 000005
【図４】
2012176742.tif 000006
【図５】
2012176742.tif 000007
【図６】
2012176742.tif 000008
【図７】
2012176742.tif 000009
【図８】
2012176742.tif 000010